(57)【特許請求の範囲】
【請求項１】
ガスコンロ本体を被包装物本体とし、主要部が略平坦で、燃焼ガスを排出する排出口を備え、ガスコンロ本体を覆うように配設されて使用されるトッププレートをプレート状部材として含むビルトイン型ガスコンロを被包装物として包装するための包装構造であって、
被包装物本体の両端側と係合する係合凹部と、プレート状部材を略水平に支持する支持部とを備えた一対の端面側パッドを、前記被包装物本体の両端側に配設し、被包装物本体の両端部と係合させることにより、被包装物本体を保護するとともに、前記プレート状部材を略水平に支持し、かつ、
長手方向に直交する方向の断面形状が略Ｌ字状である、紙系材料からなる一対の保護部材（Ｌ字状アングル部材）の一方を、その略Ｌ字状の内側面が、前記端面側パッドの上面と前面に接するように、一方の端面側パッドから他方の端面側パッドに架け渡して配設し、他方を、その略Ｌ字状の内側面が、前記端面側パッドの上面と後面に接するように、一方の端面側パッドから他方の端面側パッドに架け渡して配設することにより、包装構造体の上面側の一対の稜線部を補強して、上面側からの衝撃に対して前記プレート状部材を保護するようにしていること
を特徴とする包装構造。
【請求項２】
さらに、長手方向に直交する方向の断面形状が略Ｌ字状である一対の保護部材（両端側Ｌ字状アングル部材）を、前記一対の端面側パッドのそれぞれの、上面と端面に略Ｌ字状の内側面が接するように配設することにより、包装構造体の上面側の、他の一対の稜線部を補強して、上面側からの衝撃に対して前記プレート状部材を保護するようにしたことを特徴とする請求項１記載の包装構造。
【請求項３】
前記一対の端面側パッド及び前記一対のＬ字状アングル部材が配設された状態の包装構造体を、前記Ｌ字状アングル部材と直交する方向にバンド状締結部材を巻回して締結することにより、被包装物、端面側パッド、及びＬ字状アングル部材を一体に係合、固定したことを特徴とする請求項１記載の包装構造。
【請求項４】
(ａ)前記一対の端面側パッド及び前記一対のＬ字状アングル部材が配設された状態の包装構造体、又は、
(ｂ)前記一対の端面側パッド、前記一対のＬ字状アングル部材及び前記一対の両端側Ｌ字状アングル部材が配設された状態の包装構造体
が外箱に収納されていることを特徴とする請求項１〜３のいずれかに記載の包装構造。
【発明の詳細な説明】
【０００１】
【発明の属する技術分野】
本願発明は、包装構造に関し、詳しくは、主要部が略平坦なプレート状部材を含む被包装物を保管したり搬送したりする途中で、被包装物が損傷を受けないように包装するための包装構造に関する。
【０００２】
【従来の技術及び発明が解決しようとする課題】
例えば、ビルトイン型ガスコンロなどの被包装物を搬送や保管のために包装する場合、従来は、包装材として、段ボール紙などの紙製ボード状材料からなる容器（段ボール箱）や、被包装物の所定の部分と段ボール箱の内壁との隙間を埋めるためのパッド（発泡スチロールを所定の形状に成形したり、段ボール紙を所定の形状に加工したりした成形体）などが用いられている。
【０００３】
このパッドは、段ボール箱内に被包装物を固定したり、被包装物の重量が段ボール箱の底面などに集中して加わることを防止したりする機能を果たすとともに、外部より加わる衝撃から被包装物を保護する機能を果たす。
【０００４】
但し、公害の問題のない段ボール紙などの紙系材料を用いて包装する場合、十分な耐衝撃性を確保しようとすると、段ボール紙などの紙系材料を多量に用いたり、複雑な構造に加工したりすることが必要になり、紙系材料の使用量の増大や、加工コストの増大を招く場合がある。
【０００５】
また、ビルトイン型ガスコンロは、その構造上、ガスコンロ本体を覆うように配設されるトッププレート（プレート状部材）を備えており、このトッププレートは主要部が平坦なプレート状の部材であるため、曲げ強度などが小さく、例えば、トッププレートをガスコンロ本体とともに、包装容器に収納して搬送したりする場合などにおいて、外部から応力が加わると変形や破損を生じやすいという問題点がある。
【０００６】
一方、パッドを増量し、包装容器を大きくすれば、トッププレートの変形や破損を防止することはできるが、包装コストが増大したり、包装材により包装された包装構造体の寸法が大きくなって搬送や保管に支障を来したりするという問題点がある。
【０００７】
本願発明は、かかる実情に鑑みてなされたものであり、プレート状部材を含む被包装物を、少ない部品点数で、包装構造体の大型化を招くことなく、確実に包装することが可能な包装構造を提供することを目的とする。
【０００８】
【課題を解決するための手段】
上記目的を達成するために、本願発明（請求項１）の包装構造は、
ガスコンロ本体を被包装物本体とし、主要部が略平坦で、燃焼ガスを排出する排出口を備え、ガスコンロ本体を覆うように配設されて使用されるトッププレートをプレート状部材として含むビルトイン型ガスコンロを被包装物として包装するための包装構造であって、
被包装物本体の両端側と係合する係合凹部と、プレート状部材を略水平に支持する支持部とを備えた一対の端面側パッドを、前記被包装物本体の両端側に配設し、被包装物本体の両端部と係合させることにより、被包装物本体を保護するとともに、前記プレート状部材を略水平に支持し、かつ、
長手方向に直交する方向の断面形状が略Ｌ字状である、紙系材料からなる一対の保護部材（Ｌ字状アングル部材）の一方を、その略Ｌ字状の内側面が、前記端面側パッドの上面と前面に接するように、一方の端面側パッドから他方の端面側パッドに架け渡して配設し、他方を、その略Ｌ字状の内側面が、前記端面側パッドの上面と後面に接するように、一方の端面側パッドから他方の端面側パッドに架け渡して配設することにより、包装構造体の上面側の一対の稜線部を補強して、上面側からの衝撃に対して前記プレート状部材を保護するようにしていること
を特徴としている。
【０００９】
ガスコンロ本体を被包装物本体とし、ガスコンロ本体を覆うように配設されて使用されるトッププレートをプレート状部材として含むビルトイン型ガスコンロを被包装物として包装するための包装構造において、被包装物本体の両端側と係合する係合凹部と、プレート状部材を略水平に支持する支持部とを備えた一対の端面側パッドを、被包装物本体の両端側に配設し、被包装物本体の両端部と係合させることによって、被包装物本体を保護するとともに、プレート状部材を略水平に支持し、かつ、一対のＬ字状アングル部材の一方を、その略Ｌ字状の内側面が、端面側パッドの上面と前面に接するように、一方の端面側パッドから他方の端面側パッドに架け渡して配設し、他方を、その略Ｌ字状の内側面が、端面側パッドの上面と後面に接するように、紙系材料からなる一方の端面側パッドから他方の端面側パッドに架け渡して配設することにより、包装構造体の上面側の一対の稜線部を補強して、上面側からの衝撃に対してプレート状部材を保護することが可能になる。
したがって、部品点数が少なく、簡潔な構造で、プレート状部材を確実に保護することが可能な、コンパクトで信頼性の高い包装を行うことが可能になる。
【００１０】
なお、被包装物が、バーナーからの燃焼ガスを排出する排出口（貫通穴）を備えたトッププレートを有するビルトイン型ガスコンロである場合、トッププレートが平坦であるばかりでなく、貫通孔（燃焼ガスを排出する排出口）を備えているため、特に変形や破損を生じやすいが、このようなビルトイン型ガスコンロの包装に本願発明を適用することにより、トッププレートが変形したり、破損したりすることを確実に防止することが可能な、信頼性の高い包装を行うことが可能になり、特に有意義である。
【００１１】
なお、本願発明の包装構造においては、Ｌ字状アングル部材及び両端側Ｌ字状アングル部材として、段ボール紙以外の機械的強度の大きい高強度紙系材料から形成されたものを用いることにより、厚みや幅などの寸法が小さくても機械的強度の大きいＬ字状アングル部材及び両端側Ｌ字状アングル部材を用いて、小型で十分に信頼性の高い包装を行うことが可能になる。
段ボール紙以外の機械的強度の大きい高強度紙系材料から形成されたＬ字状アングル部材とは、例えば、
(１)ボール紙（コートボール紙や紙管原紙などを含む）状で厚みの大きい紙系材料からなるもの、
(２)ボール紙状で厚みの薄い紙系材料を複数枚貼り合わせた構造を有するもの、
(３)古紙を解繊し、バインダーを添加して所定の形状に成形したもの、
(４)パイプ状の紙系材料をプレス成形して長手方向に直交する方向の断面形状が略Ｌ字状になるように成形したもの
などを意味する広い概念である。
【００１２】
また、請求項２の包装構造は、さらに、長手方向に直交する方向の断面形状が略Ｌ字状である一対の保護部材（両端側Ｌ字状アングル部材）を、前記一対の端面側パッドのそれぞれの、上面と端面に略Ｌ字状の内側面が接するように、配設することにより、包装構造体の上面側の、他の一対の稜線部を補強して、上面側からの衝撃に対して前記プレート状部材を保護するようにしたことを特徴としている。
【００１３】
上記Ｌ字状アングル部材に加えて、さらに、両端側Ｌ字状アングル部材を、一対の端面側パッドのそれぞれの、上面と端面に略Ｌ字状の内側面が接するように配設することにより、包装構造体の上面側の、他の一対の稜線部を補強して、上面側からの衝撃に対してプレート状部材をより確実に保護することが可能になり、さらに信頼性の高い包装を行うことが可能になる。
【００１４】
また、請求項３の包装構造は、前記一対の端面側パッド及び前記一対のＬ字状アングル部材が配設された状態の包装構造体を、前記Ｌ字状アングル部材と直交する方向にバンド状締結部材を巻回して締結することにより、被包装物、端面側パッド、及びＬ字状アングル部材を一体に係合、固定したことを特徴としている。
【００１５】
一対の端面側パッド及び一対のＬ字状アングル部材が配設された状態の被包装物を、Ｌ字状アングル部材と直交する方向にバンド状締結部材を巻回して締結することにより、被包装物、端面側パッド、及びＬ字状アングル部材を一体に係合、固定して、一対の端面側パッド及び一対のＬ字状アングル部材以外の、他の部材（外箱など）を必要とすることなく、信頼性の高い包装を行うことが可能になる。なお、この場合、外箱を用いる場合に比べて、コンパクトな包装を行うことが可能になる。
【００１６】
また、請求項４の包装構造は、
(ａ)前記一対の端面側パッド及び前記一対のＬ字状アングル部材が配設された状態の包装構造体、又は、
(ｂ)前記一対の端面側パッド、前記一対のＬ字状アングル部材及び前記一対の両端側Ｌ字状アングル部材が配設された状態の包装構造体
が外箱に収納されていることを特徴としている。
【００１７】
(ａ)一対の端面側パッド及び一対のＬ字状アングル部材が配設された状態の包装構造体、又は、(ｂ)一対の端面側パッド、一対のＬ字状アングル部材及び一対の両端側Ｌ字状アングル部材が配設された状態の包装構造体を、外箱に収納するようにした場合、端面側パッドやＬ字状アングル部材などが配設された状態の被包装物を外箱に収納して、全体を確実に一体として保持することが可能になり、さらに信頼性の高い包装を行うことが可能になる。
なお、外箱に収納した状態で、バンド状締結部材を巻回して締結することも可能である。
【００１８】
【発明の実施の形態】
図１は本願発明の一実施形態にかかる、ビルトイン型ガスコンロを包装する際の包装構造を示す分解斜視図、図２は本願発明の一実施形態において用いた包装材を構成する保護部材（Ｌ字状アングル部材）の構造を示す断面図、図３はビルトイン型ガスコンロを包装した状態（包装構造体）を模式的に示す断面図、図４(ａ)は包装構造体を外箱に収納する工程を示す断面図、(ｂ)はビルトイン型ガスコンロが収納された外箱をバンド状締結部材により締結した状態を模式的に示す斜視図である。
【００１９】
［被包装物］
この実施形態における被包装物は、図１に示すような、ビルトイン型ガスコンロ１であり、ガスコンロ本体（被包装物本体）２、ガスコンロ本体２の上面側を覆うように配設して使用されるトッププレート３を備えている。
なお、このトッププレート３は、バーナー（図示せず）からの燃焼ガスを排出するための３つの排出口（貫通穴）４を備えた、主要部が略平坦な構造を有するプレート状部材である。
【００２０】
また、このビルトイン型ガスコンロ１は、特に図示しないが、使用時にガスコンロ本体２やトッププレート３などに取り付けて用いられる付属部品（例えば、五徳，排気カバー、バーナキャップ、電池など）を備えている。
さらに、ガスコンロ本体２は、焼網５、グリル扉６などを有するグリル７を備えている。
【００２１】
［包装材］
また、この実施形態において用いられている包装材は、被包装物本体であるガスコンロ本体２の両端側と係合する係合凹部１１と、プレート状部材であるトッププレート３を略水平に支持するトッププレート支持部１８とを備え、ガスコンロ本体２の両端側と係合してガスコンロ本体２を保護するとともに、トッププレート３を略水平に支持する一対の端面側パッド１３ａ，１３ｂと、長手方向に直交する方向の断面形状が略Ｌ字状である一対の保護部材（Ｌ字状アングル部材）１４ａ，１４ｂと、五徳，排気カバー、バーナキャップ、電池などの付属部品を収納する凹部１５を有し、これらの付属部品を保持するとともに、トッププレート３の上方に配置されて被包装物（ビルトイン型ガスコンロ）１の上面側を保護する天パッド１６と、グリル扉６が開かないように保持するとともに、グリル扉６を外部の衝撃から保護するための前パッド１７を備えている。
【００２２】
なお、一対の保護部材（Ｌ字状アングル部材）１４ａ，１４ｂのうち、一方のＬ字状アングル部材１４ａは、略Ｌ字状の内側面が、端面側パッド１３ａ，１３ｂの上面２３と前面３３に接するように、一方の端面側パッド１３ａから他方の端面側パッド１３ｂに架け渡して配設されており、他方のＬ字状アングル部材１４ｂは、略Ｌ字状の内側面が、端面側パッド１３ａ，１３ｂの上面２３と後面４３に接するように、一方の端面側パッド１３ａから他方の端面側パッド１３ｂに架け渡して配設されており、各Ｌ字状アングル部材１４ａ，１４ｂは、包装材により包装された状態の包装構造体Ａ（図３）の上面側の、長手方向稜線部を保護する機能を果たす。
【００２３】
この実施形態においては、Ｌ字状アングル部材１４ａ，１４ｂとして、図２に示すように、複数枚のコートボール紙２１を積層、接着することにより形成された、長手方向に直交する方向の断面形状が略Ｌ字状で、機械的強度の大きい部材が用いられている。
【００２４】
また、端面側パッド１３ａ，１３ｂ、天パッド１６、前パッド１７はいずれも、発泡スチロールや段ボール紙などの種々の材料から形成されたものを用いることが可能である。但し、段ボール紙からなるものを用いることにより、環境への負荷を減らすことが可能になる。
【００２５】
［包装構造］
図３は被包装物であるビルトイン型ガスコンロ１を、一対の端面側パッド１３ａ，１３ｂ、Ｌ字状アングル部材１４ａ，１４ｂ、天パッド１６などを備えた包装材を用いて包装した状態（すなわち、本願発明の一実施形態にかかる包装構造を有する包装構造体Ａ）を示している。
【００２６】
この実施形態の包装構造によれば、一対の端面側パッド１３ａ，１３ｂにより、ガスコンロ本体２が保護されるとともに、トッププレート３が略水平に支持され、包装構造体Ａの上面側の、長手方向稜線部に配設された各Ｌ字状アングル部材１４ａ，１４ｂにより、包装構造体Ａの上面側から衝撃や応力に対する耐性の小さい、長手方向稜線部が十分に補強される。このため、包装構造体Ａの上面側からの衝撃に対して、主要部が略平坦で、変形しやすいトッププレート３を確実に保護することができる。
【００２７】
なお、上記実施形態では、一対のＬ字状アングル部材を上面側の長手方向稜線部に配設するようにしているが、さらに一対のＬ字状アングル部材（両端側Ｌ字状アングル部材）を、包装構造体の、長手方向稜線部と直交する両端側稜線部に配設することも可能であり、このように、上面側の四辺の稜線部のすべてにＬ字状アングル部材を配設することにより、さらに包装信頼性を向上させることができる。
【００２８】
また、包装構造体Ａの下面側にもプレート状部材を保持するような場合には、下面側の一対の長手方向稜線部、さらには、長手方向稜線部と直交する一対の稜線部にもＬ字状アングル部材を配設することにより、上下両面側からの衝撃に対して内容物を十分に保護することが可能な信頼性の高い包装を行うことができる。
【００２９】
また、図３に示すような構造を有する包装構造体Ａを、図４(ａ)に示すように、外箱１９に収納し、図４(ｂ)に示すように、バンド状締結部材（ポリプロピレンバンドなど）２０により締結することにより、さらに信頼性の高い包装を行うことができる。
【００３０】
さらに、本願発明においては、図５に示すように、外箱を用いずに、包装構造体Ａ（図３）を、バンド状締結部材（ポリプロピレンバンドなど）２０により直接締結するように構成することも可能である。この場合にも、実用上問題のないような信頼性を備えた包装を行うことができる。なお、図５では、包装構造体Ａを簡単な上蓋（段ボール紙）２０ａで覆った後、バンド状締結部材（ポリプロピレンバンドなど）２０により締結した状態を示している。
【００３１】
また、このように外箱を用いないようにした場合、外箱を用いる場合に比べて、包装構造体を小型化することが可能になるばかりでなく、部品点数を減らすことが可能になり、コストの低減を図ることが可能になるという利点がある。
【００３２】
なお、上記実施形態では、ビルトイン型ガスコンロを包装する場合を例にとって説明したが、トッププレートを備えたビルトイン型の電磁調理器などを包装する場合にも本願発明を適用することが可能であり、その場合にも上記実施形態の場合と同様の効果を得ることができる。
【００３３】
本願発明は、さらにその他の点においても上記実施形態に限定されるものではなく、被包装物本体やプレート状部材の具体的な形状、端面側パッドの具体的な構成、断面形状が略Ｌ字状の保護部材（Ｌ字状アングル部材）の具体的な構成や形状などに関し、発明の要旨の範囲内において、種々の応用、変形を加えることが可能である。
【００３４】
【発明の効果】
上述のように本願発明（請求項１）の包装構造は、ガスコンロ本体を被包装物本体とし、ガスコンロ本体を覆うように配設されて使用されるトッププレートをプレート状部材として含むビルトイン型ガスコンロを被包装物として包装するための包装構造において、被包装物本体の両端側と係合する係合凹部と、プレート状部材を略水平に支持する支持部とを備えた一対の端面側パッドを、被包装物本体の両端側に配設し、被包装物本体の両端部と係合させることによって、被包装物本体が保護するとともに、プレート状部材を略水平に支持し、かつ、一対のＬ字状アングル部材の一方を、その略Ｌ字状の内側面が、端面側パッドの上面と前面に接するように、一方の端面側パッドから他方の端面側パッドに架け渡して配設し、他方を、その略Ｌ字状の内側面が、端面側パッドの上面と後面に接するように、一方の端面側パッドから他方の端面側パッドに架け渡して配設するようにしているので、包装構造体の上面側の一対の稜線部を補強して、上面側からの衝撃に対してプレート状部材を保護することが可能になる。
したがって、部品点数が少なく、簡潔な構造で、プレート状部材を確実に保護することが可能な、コンパクトで信頼性の高い包装を行うことが可能になる。
【００３５】
なお、被包装物が、バーナーからの燃焼ガスを排出する排出口（貫通穴）を備えたトッププレートを有するビルトイン型ガスコンロである場合、トッププレートが平坦であるばかりでなく、貫通孔（燃焼ガスを排出する排出口）を備えているため、特に変形や破損を生じやすいが、このようなビルトイン型ガスコンロの包装に本願発明を適用することにより、トッププレートが変形したり、破損したりすることを確実に防止することが可能な、信頼性の高い包装を行うことが可能になり、特に有意義である。
【００３６】
また、請求項２の包装構造のように、上記Ｌ字状アングル部材に加えて、さらに、両端側Ｌ字状アングル部材を、一対の端面側パッドのそれぞれの、上面と端面に略Ｌ字状の内側面が接するように配設した場合、包装構造体の上面側の、他の一対の稜線部を補強して、上面側からの衝撃に対してプレート状部材をより確実に保護することが可能になり、さらに信頼性の高い包装を行うことが可能になる。
【００３７】
また、請求項３の包装構造のように、一対の端面側パッド及び一対のＬ字状アングル部材が配設された状態の被包装物を、Ｌ字状アングル部材と直交する方向にバンド状締結部材を巻回して締結するようにした場合、被包装物、端面側パッド、及びＬ字状アングル部材を一体に係合、固定して、一対の端面側パッド及び一対のＬ字状アングル部材以外の、他の部材（外箱など）を必要とすることなく、信頼性の高い包装を行うことができる。また、この場合、外箱を用いる場合に比べて、コンパクトな包装を行うことができる。
【００３８】
また、請求項４の包装構造のように、(ａ)一対の端面側パッド及び一対のＬ字状アングル部材が配設された状態の包装構造体、又は、(ｂ)一対の端面側パッド、一対のＬ字状アングル部材及び一対の両端側Ｌ字状アングル部材が配設された状態の包装構造体を、外箱に収納するようにした場合、端面側パッドやＬ字状アングル部材などが配設された状態の被包装物を外箱に収納して、全体を確実に一体として保持することが可能になり、さらに信頼性の高い包装を行うことができる。
【図面の簡単な説明】
【図１】  本願発明の一実施形態にかかる包装構造を示す分解斜視図である。
【図２】  本願発明の一実施形態にかかる包装構造において用いられている保護部材（Ｌ字状アングル部材）の構造を示す断面図である。
【図３】  本願発明の一実施形態にかかる包装構造体を模式的に示す断面図である。
【図４】  (ａ)は本願発明の一実施形態にかかる包装構造体を外箱に収納する工程を示す断面図、(ｂ)は包装構造体が収納された外箱をバンド状締結部材により締結した状態を模式的に示す斜視図である。
【図５】  本願発明の包装構造の他の例を示す斜視図である。
【符号の説明】
１          ビルトイン型ガスコンロ（被包装物）
２          ガスコンロ本体（被包装物本体）
３          トッププレート（プレート状部材）
４          排出口（貫通穴）
５          焼網
６          グリル扉
７          グリル
１１        係合凹部
１３ａ，１３ｂ  一対の端面側パッド
１４ａ，１４ｂ  一対の保護部材（Ｌ字状アングル部材）
１５        付属部品を収納する凹部
１６        天パッド
１７        前パッド
１８        トッププレート支持部
１９        外箱
２０        バンド状締結部材（ポリプロピレンバンドなど）
２０ａ      上蓋（段ボール紙）
２１        コートボール紙
２３        端面側パッドの上面
３３        端面側パッドの前面
４３        端面側パッドの後面
Ａ          包装構造体
【図１】
0004683754.tif 000002
【図２】
0004683754.tif 000003
【図３】
0004683754.tif 000004
【図４】
0004683754.tif 000005
【図５】
0004683754.tif 000006